(57)【要約】【課題】カバー筐体に収容されるポンプ式やエアゾール式の放出装置の保護機能の十全化を図り、かつ、カバー筐体から離間した外側部分への当該放出装置による内容物放出動作の確実化を図る。【解決手段】放出装置６は、容器本体側構造（１＋２＋３）と、これにコイルスプリング４ａを介して連結した放出作用側構造（４＋５）とを備え、カバー筐体８は、回動タイプの操作レバー７と、放出作用側構造（４＋５）に当接してこれを停止させる縦リブ状部８ｅと、を備える。図示の状態から、操作レバー７を回動させると、ピニオン状歯車７ｂがラック状歯車２ａに噛み合い始めこれを駆動して放出装置６が上動し、ノズル５が縦開口部８ｅから露出する。ノズル５の環状段部５ａが縦リブ状部８ｅに当接した後は、放出作用側構造（４＋５）が停止したままコイルスプリング４ａの付勢に抗して容器本体側構造（１＋２＋３）が上動し、内容物が上端放出口５ｂより放出される。【選択図】図１
2015199520.tif 000002
【特許請求の範囲】
【請求項１】
内容物の外部空間域への放出装置をそのカバー筐体の内部から外側へいたる方向に移動させることにより当該放出装置の作動状態が設定される内容物放出機構において、
前記放出装置は、
前記内容物の放出作用側構造と、
前記内容物が収容され、弾性部材の介在による連結状態で前記放出作用側構造を前記方向に連動させる容器本体側構造と、を備え、
前記カバー筐体は、
前記容器本体側構造を前記方向に駆動する回動タイプの内容物放出操作部と、
前記内容物放出操作部と前記方向に連動する前記放出作用側構造に当接してこれを停止させる停止作用部と、を備え、
静止モードの前記内容物放出操作部を回動操作して前記容器本体側構造が駆動されることにより、
前記容器本体側構造と連動する前記放出作用側構造が前記方向に移動して前記停止作用部との当接状態で停止した後、当該容器本体側構造が前記弾性部材に抗しながらさらに当該方向に移動して前記作動状態に移行する、
ことを特徴とする内容物放出機構。
【請求項２】
前記内容物放出操作部は、
前記カバー筐体に取り付けられて、その回動中心部分に前記容器本体側構造の駆動作用部が形成されたレバー操作部であり、
前記容器本体側構造は、
前記駆動作用部により前記方向に駆動される被駆動作用部を備えている、
ことを特徴とする請求項１記載の内容物放出機構。
【請求項３】
前記駆動作用部は、
前記回動中心部分の外周面に形成された第一の歯車であり、
前記被駆動作用部は、
前記容器本体側構造の外周面の前記方向に形成されて前記第一の歯車と係合する第二の歯車である、
ことを特徴とする請求項２記載の内容物放出機構。
【請求項４】
前記内容物放出操作部は、
その静止モードにおいて、前記容器本体側構造の前記方向への移動を阻止するストッパ部を備えている、
ことを特徴とする請求項１乃至３のいずれかに記載の内容物放出機構。
【請求項５】
請求項１乃至４のいずれかに記載した内容物放出機構の構成要素である放出装置において、
前記内容物の放出作用側構造と、
前記内容物が収容され、弾性部材の介在による連結状態で前記放出作用側構造を前記方向に連動させる容器本体側構造と、を備えている、
ことを特徴とする内容物放出機構の放出装置。
【請求項６】
前記容器本体側構造は、
その外周面に、前記方向に駆動される被駆動作用部を備えている、
ことを特徴とする請求項５記載の内容物放出機構の放出装置。
【請求項７】
前記被駆動作用部は、
前記容器本体側構造の外周面の前記方向に形成された被駆動用歯車である、
ことを特徴とする請求項６記載の内容物放出機構の放出装置。
【請求項８】
請求項１乃至４のいずれかに記載した内容物放出機構の構成要素であるカバー筐体において、
前記容器本体側構造を前記方向に駆動する回動タイプの内容物放出操作部と、
前記内容物放出操作部と前記方向に連動する前記放出作用側構造に当接してこれを停止させる停止作用部と、を備えている、
ことを特徴とする内容物放出機構のカバー筐体。
【請求項９】
前記内容物放出操作部は、
前記カバー筐体に取り付けられて、その回動中心部分に前記容器本体側構造の駆動作用部が形成されたレバー操作部である、
ことを特徴とする請求項８記載の内容物放出機構のカバー筐体。
【請求項１０】
前記駆動作用部は、
前記回動中心部分の外周面に形成された駆動用歯車である、
ことを特徴とする請求項９記載の内容物放出機構のカバー筐体。
【請求項１１】
前記内容物放出操作部は、
その静止モードにおいて、前記容器本体側構造の前記方向への移動を阻止するストッパ部を備えている、
ことを特徴とする請求項８乃至１０のいずれかに記載の内容物放出機構のカバー筐体。
【請求項１２】
請求項１乃至４のいずれかに記載の内容物放出機構を備え、
前記容器本体側構造に放出対象内容物を収容した、
ことを特徴とするポンプ式製品。
【請求項１３】
請求項１乃至４のいずれかに記載の内容物放出機構を備え、
前記容器本体側構造に噴射用ガスおよび放出対象内容物を収容した、
ことを特徴とするエアゾール式製品。
【発明の詳細な説明】
【技術分野】
【０００１】
本発明は、内容物の外部空間域への放出装置をそのカバー筐体の内部から外側へいたる方向に移動させることにより当該放出装置の作動状態が設定される内容物放出機構などに関する。
【０００２】
ここで放出装置は、それ単独でもポンプ式製品やエアゾール式製品として作動しえる内容物放出装置である、
【０００３】
この内容物放出装置は、概略、内容物を収容する容器本体側構造（例えば後述の容器本体１，ネジキャップ２，ハウジング３）と、この収容内容物を外部空間域へ流出させる放出作用側構造（例えば後述のステム４，ノズル５）とからなっている。
【０００４】
また、内容物放出操作が行われていない静止モードのとき、放出装置の全体がカバー筐体の内部にいわば収納されており、カバー筐体の一部は回動タイプの放出操作部として作用する。
【０００５】
放出作用側には内容物の吐出弁（流出弁）が設定され、これが開くことにより容器本体側構造の内容物が放出作用側構造を経て外部空間域に放出される。
【０００６】
特に、カバー筐体への放出装置収納状態（静止モード）における放出操作部の回動操作にともない、
(21)放出操作部のそれまでのカバーエリアに開口域を生成し、
(22)放出装置の容器本体側構造が放出操作部との例えば歯車係合で駆動されることにより、放出装置の放出作用側構造も上記(21)の開口域から外方向へと連動し、
(23)放出作用側構造がカバー筐体（の放出操作部以外の部分）に当接して停止した後も、容器本体側構造がさらに移動することにより、放出作用側構造の吐出弁（流出弁）がそれまでの閉状態から開状態にシフトして容器本体側構造の収容内容物が外部空間域に放出される、
といった動作態様の内容物放出機構などに関する。
【０００７】
このような動作態様の内容物放出機構のみならず、その構成要素である放出装置およびカバー筐体ならびにこの内容物放出機構を備えたポンプ式製品およびエアゾール式製品を対象としている。
【０００８】
本明細書において容器本体，ステム，ノズルおよびカバー筐体などの長手方向（図示上下方向）を「縦」といい、この「縦」と略直交する方向を「横」という。
【背景技術】
【０００９】
本件出願人は、それ単独でもポンプ式製品として作動しえる放出装置をカバー筐体に保持した状態で操作部材を回動操作し、これによりポンプ式製品を内容物放出状態に設定する内容物放出機構を提案済みである（特許文献１参照）。
【００１０】
この内容物放出機構では、カバー筐体の内容物出力通路域（ノズル）の流入側にポンプ式放出装置のステムが固定されている。そして、カバー筐体に取り付けた操作部材で放出装置の容器本体側構造のネジキャップをこの固定ステムに対して持ち上げることにより内容物放出状態が設定される。
【００１１】
このように、提案済みの内容物放出機構は、その内容物放出口が内容物放出操作のときも移動させないですむカバー筐体の側に形成されているため、いわばピンポイントの形で内容物を放出したい例えば点鼻用途などで高い利便性を呈することができる。
【先行技術文献】
【特許文献】
【００１２】
【特許文献１】特開２０１３−３９２９８号公報
【発明の開示】
【発明が解決しようとする課題】
【００１３】
本発明では、上記提案済み内容物放出機構を基に、静止モードのとき、内容物放出操作部を一部に兼用したカバー筐体でポンプ式放出装置などの全体を覆い、この操作部の回動操作により生じる開口域からノズルなどの放出作用部を外部空間域に露出させている。
【００１４】
これにより、カバー筐体に収容されるポンプ式やエアゾール式の放出装置の保護機能の十全化を図り、かつ、カバー筐体から離間した外側部分への当該放出装置による内容物放出動作の確実化を図ることを目的とする。
【課題を解決するための手段】
【００１５】
本発明は、以上の課題を次のようにして解決する。
（１）内容物の外部空間域への放出装置（例えば後述のポンプ式放出装置６）をそのカバー筐体（例えば後述のカバー筐体８）の内部から外側へいたる方向（例えば上方向）に移動させることにより当該放出装置の作動状態が設定される内容物放出機構において、
前記放出装置は、
前記内容物の放出作用側構造（例えば後述のステム４，ノズル５）と、
前記内容物が収容され、弾性部材（例えば後述のコイルスプリング４ａ）の介在による連結状態で前記放出作用側構造を前記方向に連動させる容器本体側構造（例えば後述の容器本体１，ネジキャップ２，ハウジング３）と、を備え、
前記カバー筐体は、
前記容器本体側構造を前記方向に駆動する回動タイプの内容物放出操作部（例えば後述の操作レバー７）と、
前記内容物放出操作部と前記方向に連動する前記放出作用側構造に当接してこれを停止させる停止作用部（例えば後述の縦リブ状部８ｅ）と、を備え、
静止モードの前記内容物放出操作部を回動操作して前記容器本体側構造が駆動されることにより、
前記容器本体側構造と連動する前記放出作用側構造が前記方向に移動して前記停止作用部との当接状態で停止した後、当該容器本体側構造が前記弾性部材に抗しながらさらに当該方向に移動して前記作動状態に移行する、
構成態様のものを用いる。
（２）上記（１）において、
前記内容物放出操作部は、
前記カバー筐体に取り付けられて、その回動中心部分（例えば後述の回動基部７ａ）に前記容器本体側構造の駆動作用部（例えば後述のピニオン状歯車７ｂ）が形成されたレバー操作部（例えば後述の操作レバー７）であり、
前記容器本体側構造は、
前記駆動作用部により前記方向に駆動される被駆動作用部（例えば後述のラック状歯車２ａ）を備えた、
構成態様のものを用いる。
（３）上記（２）において、
前記駆動作用部は、
前記回動中心部分の外周面に形成された第一の歯車（例えば後述のピニオン状歯車７ｂ）であり、
前記被駆動作用部は、
前記容器本体側構造の外周面の前記方向に形成されて前記第一の歯車と係合する第二の歯車（例えば後述のラック状歯車２ａ）である、
構成態様のものを用いる。
（４）上記（１）〜（３）において、
前記内容物放出操作部は、
その静止モードにおいて、前記容器本体側構造の前記方向への移動を阻止するストッパ部（例えば後述のストッパ部７ｄ）を備えた、
構成態様のものを用いる。
（５）上記（１）乃至（４）のいずれかに記載した内容物放出機構の構成要素である放出装置（例えば後述のポンプ式放出装置６）において、
前記内容物の放出作用側構造（例えば後述のステム４，ノズル５）と、
前記内容物が収容され、弾性部材（例えば後述のコイルスプリング４ａ）の介在による連結状態で前記放出作用側構造を前記方向に連動させる容器本体側構造（例えば後述の容器本体１，ネジキャップ２，ハウジング３）と、を備えた、
構成態様のものを用いる。
（６）上記（５）において、
前記容器本体側構造は、
その外周面に、前記方向に駆動される被駆動作用部（例えば後述のラック状歯車２ａ）を備えた、
構成態様のものを用いる。
（７）上記（６）において、
前記被駆動作用部は、
前記容器本体側構造の外周面の前記方向に形成された被駆動用歯車（例えば後述のラック状歯車２ａ）である、
構成態様のものを用いる。
（８）上記（１）乃至（４）のいずれかに記載した内容物放出機構の構成要素であるカバー筐体（例えば後述のカバー筐体８）において、
前記容器本体側構造を前記方向に駆動する回動タイプの内容物放出操作部（例えば後述の操作レバー７）と、
前記内容物放出操作部と前記方向に連動する前記放出作用側構造に当接してこれを停止させる停止作用部（例えば後述の縦リブ状部８ｅ）と、を備えた、
構成態様のものを用いる。
（９）上記（８）において、
前記内容物放出操作部は、
前記カバー筐体に取り付けられて、その回動中心部分（例えば後述の回動基部７ａ）に前記容器本体側構造の駆動作用部（例えば後述のピニオン状歯車７ｂ）が形成されたレバー操作部（例えば後述の操作レバー７）である、
構成態様のものを用いる。
（10）上記（９）において、
前記駆動作用部は、
前記回動中心部分の外周面に形成された駆動用歯車（例えば後述のピニオン状歯車７ｂ）である、
構成態様のものを用いる。
（11）上記（８）〜（10）において、
前記内容物放出操作部は、
その静止モードにおいて、前記容器本体側構造の前記方向への移動を阻止するストッパ部（例えば後述のストッパ部７ｄ）を備えた、
構成態様のものを用いる。
【００１６】
このような構成からなる内容物放出機構およびその構成要素である放出装置，カバー筐体、ならびにこの内容物放出機構を備えたポンプ式製品およびエアゾール式製品を本発明の対象としている。
【発明の効果】
【００１７】
本発明はこのように、カバー筐体に収容される放出装置（ポンプ式やエアゾール式の放出装置）の保護機能の十全化を図り、かつ、カバー筐体から離間した外側部分への当該放出装置による内容物放出動作の確実化を図ることができる。
【図面の簡単な説明】
【００１８】
【図１】操作レバー７が、ポンプ式放出装置６の上方域を閉じる初期位置に、カバー筐体８の一部としても作用する態様で設定された静止モードを示す説明図である。
【図２】図１の操作レバー７の時計方向への回動操作により、放出作用側構造（ステム４＋ノズル５）と容器本体側構造（容器本体１＋ネジキャップ２）とが同期して上動し、ノズル５がカバー筐体８の縦リブ状部８ｅに当接した段階の回動操作初期モードを示す説明図である。
【図３】図２の操作レバー７がさらに回動して、停止状態の放出作用側構造に対し容器本体側構造が上動することにより吐出弁が開いた状態の作動モードを示す説明図である。
【図４】ポンプ式放出装置６，操作レバー７およびカバー筐体８などの関連斜視形状を示す説明図である。
【発明を実施するための形態】
【００１９】
図１乃至図４を用いて本発明を実施するための形態を説明する。
【００２０】
なお、本発明の内容物放出機構は上述のように、ポンプ式製品およびエアゾール式製品の双方を対象としているが、以下の実施形態においては単なる説明の便宜上、原則的にポンプ式製品を前提とする。
【００２１】
以下のアルファベット付き参照番号の構成要素（例えば開口側筒状部１ａ）は原則として、当該参照番号の数字部分の構成要素（例えば容器本体１）の一部であることを示している。なお、例えばステム４とコイルスプリング４ａとは別部材になっている。
【００２２】
図１〜図４において、
１は放出対象の内容物が収容された容器本体（容器本体側構造），
１ａは外周面に螺子が形成されている開口側筒状部，
２は容器本体１の開口側筒状部１ａと螺子結合した一体化状態で後述の操作レバー７の回動操作により図示上下方向に駆動される直筒状のネジキャップ（容器本体側構造），
２ａは複数の横方向の歯が当該ネジキャップの外周面上下方向に連続して形成されたラック状歯車（被駆動作用部，第二の歯車）
２ａ′はラック状歯車２ａの最上端谷部分，
２ｂは上下方向のラック状歯車２ａの上端部分に形成されて、後述のポンプ式放出装置６が後述のカバー筐体８に装填されるときのいわば最奥位置を、後述の操作レバー７のストッパ部７ｄとの当接作用により画定する凸状起立部，
をそれぞれ示している。
【００２３】
また、
３は周知の吸込弁，吐出弁などを配設した状態で開口側筒状部１ａの上端環状部分とネジキャップ２の天面環状部分との間に挟持されて、その内部空間域に次回の放出対象内容物を収容する周知のハウジング（容器本体側構造），
４はハウジング３の内部空間域に配設されて吐出弁およびその下流側通路部として作用し、ネジキャップ２および当該ハウジングの一体物との間で、上下方向への相対移動が可能な周知のステム（放出作用側構造），
４ａはハウジング３の内部空間域に配設されて当該ステムを上方向に付勢する周知のコイルスプリング（弾性部材），
をそれぞれ示している。
【００２４】
また、
５はステム４の出力側部分に取り付けられてこれと連動するノズル（放出作用側構造），
５ａは当該ノズルの露出外周面に形成されて、後述の操作レバー７の内容物放出用の回動操作にともなう当該ノズルの最上動位置（停止位置）を画定する環状段部，
５ｂは当該ノズルの先端部分に形成された上端放出口，
６は容器本体１，ネジキャップ２，ハウジング３，ステム４およびノズル５などからなって後述の各種内容物を収容し、周知の内容物放出用のポンプ機構を備えたポンプ式放出装置，
をそれぞれ示している。
【００２５】
また、
７は後述のカバー筐体８に取り付けられて、ポンプ式放出装置６の内容物放出状態を設定する回動タイプで略Ｌ字状の操作レバー（内容物放出操作部）， 
７ａは当該操作レバーの回動中心の円柱形状かるなる回動基部（回動中心部分），
７ｂは回動基部７ａの外周曲面半分強の部分にラック状歯車２ａと噛み合う態様で形成されたピニオン状歯車（駆動作用部，第一の歯車），
７ｂ′はピニオン状歯車７ｂの図示時計方向の先端山部分，
７ｃは回動基部７ｅの両側平面部分に形成された一対の回動中心軸，
７ｄは当該操作レバーの内側で回動基部７ａの近傍部分に形成されて、当該操作レバーを閉じた静止モードでポンプ式放出装置６が後述のカバー筐体８に装填されるとき、ネジキャップ２に当接してそれ以上の容器本体側構造（容器本体１＋ネジキャップ２＋ハウジング３）の上動を抑止するストッパ部，
をそれぞれ示している。
【００２６】
また、
８はポンプ式放出装置６の全体を取り出し可能な態様で収容するカバー筐体，
８ａは当該カバー筐体の胴部を構成する円筒状部，
８ｂは円筒状部８ａの上方に続くドーム状部，
８ｃは円筒状部８ａの下端開口部に取り外し可能な状態で保持される底蓋，
８ｄはドーム状部８ｂの周方向の一部で上下方向の部分に形成されて、内容物放出操作をしていない静止モードのとき（図１参照）、操作レバー７が入り込んで当該ドーム状部と略同一外面形状に設定される縦開口部，
８ｅはドーム状部８ｂの内周面上端側に、静止モードの操作レバー７の自由端側下面を受ける形で設定されて、当該操作レバーの内容物放出操作（図示時計方向への回動操作）にともない上動するノズル５の環状段部５ａに当接し、これにより当該ノズルの最上位置を画定する縦リブ状部（停止作用部），
８ｆは円筒状部８ａの上端側からその略外直交方向に延びる態様で形成されて、操作レバー７の回動基部７ａを収容する一対の囲い部，
８ｇは囲い部８ｆの前面および底面の上下・前後方向に形成されて操作レバー７の回動を許容するための開口切欠状部，
８ｈは囲い部８ｆのいわば対向内面部分のそれぞれに形成されて操作レバー７の回動中心軸７ｃの受け部として作用する一対の凹状部，
９は容器本体１の内容物をハウジング３の内部空間域に流入させるためのチューブ，
をそれぞれ示している。
【００２７】
ここで、容器本体１，ネジキャップ２，ハウジング３，ノズル５，操作レバー７，カバー筐体８およびチューブ９は例えばポリプロピレン，ポリエチレン，ポリアセタール，ナイロン，ポリブチレンテレフタレートなどからなるプラスチック製のものである。
【００２８】
また、ステム４，コイルスプリング４ａは例えばプラスチック製または金属製のものである。
【００２９】
図示の内容物放出機構の基本的特徴は、
(31)容器本体１のハウジング３に放出対象内容物を収容し、ノズル５の押下げ操作により内容物放出用ポンプ機構が作動する機能を備えたポンプ式放出装置６の全体を、カバー筐体８の中に装填し（図１の静止モード参照）、
(32)カバー筐体８の一部ともいえる操作レバー７を図１の位置から図示時計方向へ回動操作すると、ネジキャップ２のラック状歯車２ａと当該操作レバーのピニオン状歯車７ｂとの歯車結合により、ポンプ式放出装置６の全体が静止モードのまま上方向に駆動され、
(33)この上方向への駆動初期段階、すなわちノズル５の環状段部５ａがカバー筐体８の縦リブ状部８ｅの下面部分に当接するまでの回動操作初期モード（図２参照）では、ポンプ式放出装置６の吐出弁が静止モードの「閉」のままであり、
(34)この環状段部５ａが縦リブ状部８ｅに当接した後のさらなる操作レバー７の回動操作に基づく作動モード（図３参照）では、放出作用側構造（ステム４，ノズル５）が停止し、容器本体側構造（容器本体１，ネジキャップ２，ハウジング３）が継続して上動する、
ことなどである。
【００３０】
上記(34)の放出作用側構造の停止後における容器本体側構造の上動は、静止状態のハウジング３などに対してステム４を下動させるといった通常の内容物放出用の押下げ操作と勿論等価である。
【００３１】
すなわち、通常のポンプ式製品の内容物放出操作ボタン（図示のノズル５に相当）が押し下げ操作されて内容物放出の作動モードに移行することに等しい。
【００３２】
このように、図示の内容物放出機構は、ポンプ式放出装置６のカバー筐体８の一部を構成する操作レバー７の図示時計方向への回動操作により、ノズル５の上方への移動用開口域を確保した上で、放出作用側構造の停止後も容器本体側構造を上動させている。
【００３３】
この放出作用側構造停止後のハウジング３などの容器本体側構造の上動にともない、周知のポンプ機構の吐出弁（図示省略）がそれまでの閉状態から開状態にシフトし、ハウジング内部の貯留内容物がノズル５の上端放出口５ｂから外部空間域に放出される。
【００３４】
なお、静止モードの操作レバー７に対する図示時計方向への回動操作を開始してからノズル５の環状段部５ａがカバー筐体８の縦リブ状部８ｅに当接するまでの初期期間、放出作用側構造と容器本体側構造とが上方向に連動する。
【００３５】
この放出作用側構造と容器本体側構造とをいわば同期連動させるのは、ポンプ式放出装置６のポンプ機構の作動タイミング（内容物放出動作の開始時）を、ノズル５の上端放出口５ｂが外部空間域に露出した後にするためである。
【００３６】
図１の静止モードでは、操作レバー７を閉じた状態のカバー筐体８にポンプ式放出装置６の全体が装填され、カバー筐体底面側には底蓋８ｃが取り付けられている。
【００３７】
また、回動基部７ａのピニオン状歯車７ｂとネジキャップ２のラック状歯車２ａとは歯車結合していない。
【００３８】
すなわち、ピニオン状歯車７ｂの中で最もラック状歯車２ａに近い図示時計方向の先端山部分７ｂ′が、ラック状歯車２ａの最上端谷部分２ａ′に噛み合う直前部分に位置している。このときのネジキャップ２および操作レバー７は結合フリー状態である。
【００３９】
ハウジング３，ステム４およびコイルスプリング４ａなどの関連構成自体は周知のものである。
【００４０】
例えば、ステム４は、コイルスプリング４ａの弾性作用によって図示上方向に付勢される態様でハウジング３の内部などに配設され、かつ、その静止モードの最上位置ではハウジング側に係止されている。
【００４１】
そのため、ハウジング３などの容器本体側構造とステム４などの放出作用側構造との全体は一体物の形で上下方向に連動可能であり、いずれか一方の移動をいわば拘束した状態では、他方がコイルスプリング４ａの弾性力に抗する形で移動し、またこの弾性力で復帰する。
【００４２】
ここで、ポンプ式放出装置６をそれ単独で使用する際は通常、容器本体側構造（容器本体１＋ネジキャップ２＋ハウジング３）が固定されて放出作用側構造（ステム４＋ノズル５）が上下方向に移動する。
【００４３】
一方、本発明のカバー筐体８に装填された状態のポンプ式放出装置６における、図２の回動操作初期モードと図３の作動モードとの間の遷移では、放出作用側構造が固定されて容器本体側構造が上下方向に移動する。
【００４４】
ハウジング３の内部空間域の下側には容器本体１からの内容物の吸込弁が配設され、当該内部空間域の上側には内容物の吐出弁が配設される。これらの弁はそれぞれ閉状態への弾性復帰機能を備えている。
【００４５】
また、吸込弁と吐出弁との間には貯留空間域が形成され、この貯留空間域に収容済みの内容物が次回の放出対象となる。
【００４６】
なお、内容物放出操作終了に基づく静止モードへの復帰動作にともない、この貯留空間域容量が増加して内容物圧力が低下し、これにより吐出弁が閉じ、吸込弁が開き、貯留空間域に容器本体１から内容物（上述の次回放出対象）が流入して一時的に収容される。内容物収容後は上記弾性復帰機能により吸込弁も閉じる。
【００４７】
図２の回動操作初期モードでは、操作レバー７がその回動基部７ａを中心にして図示時計方向に回動する。なお、一対の回動基部７ａはそれぞれの回動中心軸７ｃを介してカバー筐体８の凹状部８ｈに保持される。
【００４８】
このとき、ピニオン状歯車７ｂの図示時計方向の先端山部分７ｂ′から反時計方向に連続する各山部分が、順次、ラック状歯車２ａの最上端谷部分２ａ′から下方に連続する各谷部分に噛み合っていく。なお、この噛み合い状態はラック状歯車２ａの各山部分とピニオン状歯車７ｂの各谷部分との歯車結合ともいえる。
【００４９】
上述したように、コイルスプリング４ａを介して一体化した状態のステム４とハウジング３とは、その上下方向に、自由移動の範囲でいわば同期した状態で連動する。
【００５０】
そのため、図１の静止モードから図２の回動操作初期モードまでのシフト過程では上述の容器本体側構造（容器本体１＋ネジキャップ２＋ハウジング３）および放出作用側構造（ステム４＋ノズル５）が一体となって上方向に移動する。
【００５１】
ここでハウジング３とステム４との相対移動は生じずに、それらで構成される弁機構の開閉状態が変化することもない。吸込弁および吐出弁はともに閉状態のままである。
【００５２】
図３の作動モードでは、先ず、それまで操作レバー７の回動操作にともなうピニオン状歯車７ｂとの歯車結合により上動していたポンプ式放出装置６のノズル５の環状段部５ａが、カバー筐体８の縦リブ状部８ｅの下面部分に当接して係合する。
【００５３】
すなわち、この係合により放出作用側構造（ステム４＋ノズル５）が停止し、その後は容器本体側構造（容器本体１，ネジキャップ２，ハウジング３）のみがコイルスプリング４ａの弾性力に抗しながら継続して上動する。
【００５４】
この容器本体側構造のみが上動すること（放出作用側構造のみが下動することと等価）にともない、上述したように、ハウジング３の内部に配設済みでともに閉状態の吸込弁および吐出弁の間の貯留空間域の容量が減少してそこの内容物圧力が上昇する。
【００５５】
この内容物圧力の上昇にともない吐出弁が開き、貯留空間域の収容内容物が「吐出弁−ステム４の内部通路−ノズル５の内部通路」を経てノズル５の上端放出口５ｂから外部空間域に放出される。このような内容物放出動作自体は周知である。
【００５６】
内容物の外部空間域への放出により貯留空間域の内容物圧力が低下すると、吐出弁は上述の自弾性力（弾性復帰作用）でそれまでの開状態から閉状態へとシフトし、内容物放出動作が終了する。
【００５７】
なお、略Ｌ字状の操作レバー７の屈曲外側部分が図３に示すようにカバー筐体８の外周面に当接した状態などで利用者が当該操作レバーから手を放すと、ポンプ式放出装置６の容器本体側構造はコイルスプリング４ａの作用で図２の位置まで復帰する。
【００５８】
この復帰の過程では、放出作用側構造の環状段部５ａがコイルスプリング４ａの上方への弾性力により縦リブ状部８ｅの下面部分に当接したままである。
【００５９】
この後、再度、ポンプ式放出装置６を作動させたい場合には、図２の位置に復帰した操作レバー７を図示時計方向に回動操作すればよい。
【００６０】
また、ポンプ式放出装置６を図１の静止モードに復帰させるには、利用者が操作レバー７を図示反時計方向に回動操作すればよい。
【００６１】
この操作レバー７の反時計方向への回動操作にともない、ネジキャップ２は、そのラック状歯車２ａとピニオン状歯車７ｂとの結合状態で下方向に駆動される。
【００６２】
操作レバー７を、図２の位置からさらに図示反時計方向に回動させると、コイルスプリング４ａの作用で相対移動なしの同期状態に設定された容器本体側構造および放出作用側構造の全体が、ラック状歯車２ａとピニオン状歯車７ｂとの歯車結合により下方向に駆動される。
【００６３】
最終的にはネジキャップ２を含むポンプ式放出装置６の全体が図１の静止モード位置へ復帰し、また、操作レバー７も、その自由端側下面がカバー筐体８の縦リブ状部８ｅに当接する静止モード位置まで回動して保持され、カバー筐体８の一部となる。すなわちポンプ式放出装置６の全体がカバー筐体８の内部に収容される。
【００６４】
また、操作レバー７の図３から図２の位置にいたる図示反時計方向への復帰初期段階では、放出作用側構造（ステム４＋ノズル５）が位置不変のままネジキャップ２などの容器本体側構造が下動して、ハウジング３の吐出弁と吸込弁との間の貯留空間域の容積が増加する。
【００６５】
上述したように、この容積増加にともない、ハウジング内部下側に設定された吸込弁がそれまでの「閉」から「開」へと変化し、容器本体１の内容物が貯留空間域に流入する。この流入内容物が次回の放出対象となる。また、内容物流入による貯留空間域圧力の増加および上述の自弾性力（弾性復帰機能）に応じて吸込弁は閉じる。
【００６６】
使用済みのポンプ式放出装置６を、新しいものに交換する場合や、内容物の異なる別のポンプ式放出装置６に交換する場合などには、図１の静止モードの状態で底蓋８ｃをカバー筐体８から取り外し、収容されているポンプ式放出装置６を交換してから取り外した底蓋８ｃをもとの状態に付け直す。
【００６７】
本発明の内容物放出機構が図示の実施形態に限定されるものでないことは勿論であり、例えば、
(41)上端放出口５ｂに代えて、ノズル５の周面上側部分に放出口を設ける、
(42)ラック状歯車２ａとピニオン状歯車７ｂとの歯車結合に代えて、上記特許文献１で開示される上小径筒状部(2d)の環鍔状部(2e)と回動操作部材(6)の二股部分(6b)との係合態様と、同様の結合手段を用いる、
(43)ラック状歯車２ａを容器本体１の外周面に形成する、
ようにしてもよい。
【００６８】
本発明が適用されるポンプ式製品およびエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６９】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００７０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００７１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００７２】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００７３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７４】
高分子化合物としては、ヒドロキシエチルセルロース，メチルセルロース，ゼラチン，デンプン，カゼイン，キサンタンガム，カルボキシビニルポリマーなどを用いる。
【００７５】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、パラフェノールスルホン酸亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，過酸化水素水などの酸化剤、リン酸二水素アンモニウム，炭酸水素ナトリウム・カリウムなどの消火剤などを用いる。
【００７６】
さらに、上記内容物以外の、懸濁剤，紫外線吸収剤，乳化剤，保湿剤，酸化防止剤、金属イオン封鎖剤なども用いることができる。
【００７７】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００７８】
１：容器本体
１ａ：開口側筒状部
２：ネジキャップ
２ａ：ラック状歯車
２ａ′：ラック状歯車の最上端谷部分
２ｂ：凸状起立部
３：ハウジング
４：ステム
４ａ：コイルスプリング
５：ノズル
５ａ：環状段部
５ｂ：上端放出口
６：ポンプ式放出装置
【００７９】
７：操作レバー
７ａ：回動基部
７ｂ：ピニオン状歯車
７ｂ′：ピニオン状歯車の図示時計方向の先端山部分
７ｃ：一対の回動中心軸
７ｄ：ストッパ部
８：カバー筐体
８ａ：円筒状部
８ｂ：ドーム状部
８ｃ：底蓋
８ｄ：縦開口部
８ｅ：縦リブ状部
８ｆ：一対の囲い部
８ｇ：開口切欠状部
８ｈ：一対の凹状部
９：チューブ
【図１】
2015199520.tif 000003
【図２】
2015199520.tif 000004
【図３】
2015199520.tif 000005
【図４】
2015199520.tif 000006